(57)【特許請求の範囲】
【請求項１】
首掛けベルト(11)によって首から吊り下げることが可能なケーシング(10)に、オーディオ信号を再生するためのオーディオ再生回路(５)と、オーディオ再生に関する情報を表示するためのディスプレイ(８)とを配備してなる首掛け式オーディオプレーヤにおいて、ケーシング(10)が首掛けベルト(11)によって首から吊り下げられている吊り下げ状態と、該吊り下げ状態からケーシング(10)の天地を逆転させて手に保持した保持状態を認識するための状態認識手段と、該状態認識手段による認識結果に応じて、ディスプレイ(８)による表示状態を切り替え制御する制御手段とを具え、前記制御手段は、保持状態ではディスプレイ(８)に操作に応じた表示を行ない、吊り下げ状態ではディスプレイ(８)に再生音声に応じた表示を行なうことを特徴とする首掛け式オーディオプレーヤ。
【請求項２】
前記状態認識手段は、重力の作用方向に基づいてケーシング(10)の天地を認識する天地認識センサー(２)によって構成されている請求項１に記載の首掛け式オーディオプレーヤ。
【請求項３】
前記制御手段は、吊り下げ状態と保持状態でディスプレイ(８)の表示を上下逆転させる請求項１又は請求項２に記載の首掛け式オーディオプレーヤ。
【請求項４】
首掛けベルト(11)によって首から吊り下げることが可能なケーシング(10)に、オーディオ信号を再生するためのオーディオ再生回路(５)と、オーディオ再生に関する情報を表示するためのディスプレイ(８)とを配備してなる首掛け式オーディオプレーヤにおいて、ケーシング(10)が首掛けベルト(11)によって首から吊り下げられている吊り下げ状態と、該吊り下げ状態からケーシング(10)の天地を逆転させて手に保持した保持状態を認識するための状態認識手段と、該状態認識手段による認識結果に応じて、ディスプレイ(８)による表示状態を切り替え制御する制御手段とを具え、前記ディスプレイ(８)はバックライト(９)を具え、前記制御手段は、吊り下げ状態ではバックライト(９)を消灯し、保持状態ではバックライト(９)を点灯することを特徴とする首掛け式オーディオプレーヤ。
【請求項５】
前記状態認識手段は、重力の作用方向に基づいてケーシング(10)の天地を認識する天地認識センサー(２)によって構成されている請求項４に記載の首掛け式オーディオプレーヤ。
【請求項６】
前記制御手段は、吊り下げ状態から保持状態への切り替わりに伴って、ディスプレイ(８)の表示動作を開始せしめ、保持状態から吊り下げ状態への切り替わりに伴って、ディスプレイ(８)の表示動作を停止せしめる請求項４又は請求項５に記載の首掛け式オーディオプレーヤ。
【発明の詳細な説明】
【０００１】
【発明の属する技術分野】
本発明は、首掛けベルトによって首から吊り下げた状態で音楽を聴くことが出来る首掛け式オーディオプレーヤに関するものである。
【０００２】
【従来の技術】
近年、オーディオデータが格納されたメモリを内蔵して、該メモリからオーディオデータを読み出して音声として再生するポータブルオーディオプレーヤが普及しつつある。この種のオーディオプレーヤにおいては、首掛けベルトによって首から吊り下げた状態で再生動作を行なわしめることにより、歩きながら音楽を楽しむことが可能である。
又、この種のオーディオプレーヤにおいては、ケーシングの表面にディスプレイが配備されて、該ディスプレイの表示を見ながら、各種再生動作のための操作を行なうことが出来る。
【０００３】
【発明が解決しようとする課題】
上記の如き首掛け式オーディオプレーヤにおいては、ケーシングの表面に配備されたディスプレイは、キー操作を行なうべくケーシングを手に保持した状態で天地が正常となる向きで表示が行なわれているが、再生動作を開始した後、吊り下げ状態で音楽を聴いているときには、ケーシングの天地が逆転するため、対面する人物から見たディスプレイの表示は上下逆となる。特に、首掛け式オーディオプレーヤはファッション感覚で身につけるものであるので、対面する人物から見たディスプレイの表示が上下逆になることは、好ましくない。
【０００４】
そこで本発明の目的は、首掛け式オーディオプレーヤにおいてケーシングの吊り下げ状態と保持状態でディスプレイの天地が逆転することに伴う問題を回避することである。
【０００５】
【課題を解決する為の手段】
本発明に係る首掛け式オーディオプレーヤは、首掛けベルト(11)によって首から吊り下げることが可能なケーシング(10)に、オーディオ信号を再生するためのオーディオ再生回路(５)と、オーディオ再生に関する情報を表示するためのディスプレイ(８)とを配備して構成され、ケーシング(10)が首掛けベルト(11)によって首から吊り下げられている吊り下げ状態と、該吊り下げ状態からケーシング(10)の天地を逆転させて手に保持した保持状態を認識するための状態認識手段と、該状態認識手段による認識結果に応じて、ディスプレイ(８)による表示状態を切り替え制御する制御手段とを具えている。
【０００６】
具体的には、状態認識手段は、重力の作用方向に基づいてケーシング(10)の天地を認識する天地認識センサー(２)によって構成されている。
【０００７】
又、具体的構成において、状態認識手段による認識結果に応じたディスプレイ(８)の表示状態の切り替えとしては、吊り下げ状態と保持状態でディスプレイ(８)の表示を上下逆転させることが有効である。
これによって、保持状態ではユーザがディスプレイ(８)の表示を正常に見ることが出来、吊り下げ状態ではユーザに対面する人物がディスプレイ(８)の表示を正常に見ることが出来る。
尚、保持状態ではディスプレイ(８)に操作に応じた表示を行ない、吊り下げ状態ではディスプレイ(８)に再生音声に応じた表示を行なうことが出来る。
【０００８】
又、他の具体的構成において、ディスプレイ(８)はバックライト(９)を具え、吊り下げ状態ではバックライト(９)を消灯し、保持状態ではバックライト(９)を点灯する。
これによって、保持状態ではユーザがディスプレイ(８)の表示を見ることが出来るが、吊り下げ状態ではディスプレイ(８)のバックライト(９)が消灯して、ユーザに対面する人物はディスプレイ(８)の表示を見ることが出来なくなる。
【０００９】
又、他の具体的構成において、吊り下げ状態から保持状態への切り替わりに伴って、ディスプレイ(８)の表示動作を開始せしめ、保持状態から吊り下げ状態への切り替わりに伴って、ディスプレイ(８)の表示動作を停止せしめる。
これによって、保持状態ではユーザがディスプレイ(８)の表示を見ることが出来るが、吊り下げ状態ではディスプレイ(８)の表示動作が自動的に停止して、ユーザに対面する人物はディスプレイ(８)の表示を見ることが出来なくなる。
【００１０】
【発明の効果】
本発明に係る首掛け式オーディオプレーヤによれば、ケーシングの吊り下げ状態と保持状態でディスプレイによる表示状態が切り替えられるので、ディスプレイの天地が逆転することに伴う問題は回避される。
【００１１】
【発明の実施の形態】
以下、本発明の実施の形態につき、図面に沿って具体的に説明する。
本発明に係る首掛け式オーディオプレーヤは、図２に示す如く、首掛けベルト(11)によって首から吊り下げることが可能なケーシング(10)を具え、該ケーシング(10)には、操作キー(１)やディスプレイ(８)が配備されている。
【００１２】
又、ケーシング(10)の内部には、図１に示す如く、オーディオデータが格納されているメモリ(４)と、メモリ(４)から読み出したオーディオデータに復号処理等を施してオーディオ信号を再生するオーディオ再生回路(５)と、再生されたオーディオ信号を増幅して出力端子(７)に供給する増幅器(６)と、ディスプレイ(８)の画面を照明するバックライト(９)と、メモリ(４)からのオーディオデータの読み出し、オーディオ再生回路(５)の再生動作、ディスプレイ(８)の表示動作、及びバックライト(９)の点灯／消灯を制御する制御回路(３)とが内蔵されている。
【００１３】
更に、ケーシング(10)には、図２に模式的に表わす様に重力の作用方向によって接点が切り替わる天地認識センサー(２)が内蔵されており、該天地認識センサー(２)による天地認識信号が制御回路(３)へ供給されて、ディスプレイ(８)による表示動作が切り替えられるのである。
【００１４】
即ち、図３に示す様に、首掛けベルト(11)によってケーシング(10)をユーザの首から吊り下げた状態では、ユーザに対面する人物からディスプレイ(８)の表示が正常に見える様、表示の向きが設定される。ここで、ディスプレイ(８)には、例えば再生音声に応じたキャラクター等を表示したり、予め用意された映像を表示する。
これに対し、図４に示す様に、ケーシング(10)の天地を逆転させてユーザの手に保持した状態では、ユーザからディスプレイ(８)の表示が正常に見える様、表示の向きが上下逆転される。ここで、ディスプレイ(８)には、操作に応じた表示を行なう。
【００１５】
従って、図４に示す保持状態では、ユーザが、ディスプレイ(８)の表示を参照しながら、操作キー(１)の操作を行なうことが出来、図３に示す吊り下げ状態では、ユーザに対面する人物からディスプレイ(８)の表示を違和感なく見ることが出来、これによって首掛け式オーディオプレーヤのファッション性を高めることが出来る。
【００１６】
尚、本発明の各部構成は上記実施の形態に限らず、特許請求の範囲に記載の技術的範囲内で種々の変形が可能である。例えば、天地認識センサー(２)としては、図５に模式的に示す様に、吊り下げ状態ではケーシング(10)の重量によって接点が開き、保持状態ではバネ力によって接点が閉じる構造を採用することも可能である。
又、ケーシング(10)が手に保持されていることを静電容量の変化などに基づいて検出し、該検出信号の有無によってケーシング(10)の天地を認識することも可能である。
【００１７】
天地認識センサー(２)による認識結果に応じたディスプレイ(８)の表示状態の切り替えとしては、吊り下げ状態ではバックライト(９)を消灯し、保持状態ではバックライト(９)を点灯する方式や、吊り下げ状態から保持状態への切り替わりに伴って、ディスプレイ(８)の表示動作を開始せしめ、保持状態から吊り下げ状態への切り替わりに伴って、ディスプレイ(８)の表示動作を停止せしめる方式を採用することも可能である。
【図面の簡単な説明】
【図１】本発明に係る首掛け式オーディオプレーヤの機器構成を示すブロック図である。
【図２】該首掛け式オーディオプレーヤのケーシング及び内部構成の一部を示す正面図である。
【図３】該首掛け式オーディオプレーヤの吊り下げ状態とディスプレイの表示を示す図である。
【図４】該吊り下げオーディオプレーヤの保持状態とディスプレイの表示を示す図である。
【図５】本発明に係る首掛け式オーディオプレーヤの他の構成を示す正面図である。
【符号の説明】
(10)  ケーシング
(11)  首掛けベルト
(１)  操作キー
(２)  天地認識センサー
(３)  制御回路
(８)  ディスプレイ
【図１】
0003982998.tif 000002
【図２】
0003982998.tif 000003
【図３】
0003982998.tif 000004
【図４】
0003982998.tif 000005
【図５】
0003982998.tif 000006